(57)【要約】【課題】記録媒体に記録された映像コンテンツを利用者が扱い易いグループに区分して表示することのできるデジタル放送受信機を提供する。【解決手段】デジタル放送受信機は、映像コンテンツに含まれる撮影日時情報を取得する撮影日時情報取得部と、前記映像コンテンツに含まれる撮影位置情報を取得する撮影位置情報取得部と、該撮影日時情報に基づいて前記映像コンテンツをグループに区分し、前記撮影位置情報に基づいて前記グループを統合するグループ区分部と、前記グループのリストを画面に表示する表示部とを有する。【選択図】図２
2012216972.tif 000002
【特許請求の範囲】
【請求項１】
映像コンテンツに含まれる撮影日時情報を取得する撮影日時情報取得部と、
前記映像コンテンツに含まれる撮影位置情報を取得する撮影位置情報取得部と、
該撮影日時情報に基づいて前記映像コンテンツをグループに区分し、前記撮影位置情報に基づいて前記グループを統合するグループ区分部と、
前記グループのリストを画面に表示する表示部と
を有するデジタル放送受信機。
【請求項２】
前記グループ区分部は、前記映像コンテンツの撮影日時情報から、ある映像コンテンツの撮影が一つ前の映像コンテンツの撮影終了時刻から所定時間以内に開始されたかを判定し、所定時間以内に開始されたならば、前記ある映像コンテンツを、前記一つ前の映像コンテンツが割り当てられた第ｎのグループに割り当て、所定時間以内に開始されなかった場合には、前記ある映像コンテンツを、第（ｎ＋１）のグループに割り当てる請求項１に記載されたデジタル放送受信機。
【請求項３】
前記撮影位置情報取得部は、前記映像コンテンツに含まれる緯度情報および経度情報を取得する請求項１に記載のデジタル放送受信機。
【請求項４】
前記グループ区分部は、複数の前記グループの第ｎのグループの最後に撮影された映像コンテンツの位置情報と第（ｎ＋１）のグループの最初に撮影された映像コンテンツの位置情報の差異を算出し、位置情報の差異が所定の範囲内であれば、第ｎのグループと第（ｎ＋１）のグループを統合する請求項１乃至請求項３のいずれか１項に記載されたデジタル放送受信機。
【請求項５】
映像コンテンツに含まれる撮影日時情報を取得する撮影日時情報取得部と、
前記映像コンテンツの画像ヒストグラム情報を取得する画像ヒストグラム取得部と、
該撮影日時情報に基づいて前記映像コンテンツをグループに区分し、前記画像ヒストグラム情報に基づいて前記グループを統合するグループ区分部と、
前記グループのリストを画面に表示する表示部と
を有するデジタル放送受信機。
【請求項６】
前記グループ区分部は、複数の前記グループの第ｎのグループの最後に撮影された映像コンテンツの最後のＩフレームの画像ヒストグラム情報と第（ｎ＋１）グループの最初に撮影された映像コンテンツの最初のＩフレームの画像ヒストグラム情報の差異を算出し、該差異が所定の範囲内であれば、第ｎのグループと第（ｎ＋１）のグループを統合する請求項５に記載のデジタル放送受信機。
【発明の詳細な説明】
【技術分野】
【０００１】
本発明の実施形態は、デジタル放送受信機に関する。
【背景技術】
【０００２】
近年、デジタルスチルカメラやデジタルビデオカメラ（カムコーダ）等の映像をデジタルデータとして記録する撮影機器が広く普及している。これらの撮影機器は、内蔵のメモリ、ＨＤＤ（Hard Disk Drive）、着脱可能なフラッシュメモリ等の記録装置に映像、音声のデジタルデータを保存する。利用者が映像を鑑賞する場合には、撮影機器のモニタで再生したり、撮影機器の映像音声出力端子をテレビ等に接続したり、あるいは、着脱可能なフラッシュメモリ等を用いて映像や音声を記録再生する記録装置をテレビ等に接続して、テレビ等の画面やスピーカで再生したりすることができる。
【先行技術文献】
【特許文献】
【０００３】
【特許文献１】特開２００４−２９５２３１号公報
【特許文献２】特開２００２−１９１０１５号公報
【発明の概要】
【発明が解決しようとする課題】
【０００４】
利用者が撮り溜めた映像コンテンツを鑑賞するとき、利用者は細かく撮り分けられたコンテンツ毎に選択、再生、停止する操作を繰り返すという手間がかかる。例えば、子供の運動会などでデジタルビデオカメラを使って撮影をすると、録画、録画停止の行為の組み合わせ１回で１個のコンテンツが生成されるため、鑑賞する際には、１コンテンツが終了した後、次の１コンテンツの再生操作を繰り返さなければならない。
【０００５】
この手間を軽減するため、撮影日時間隔に基づいて複数のカットをグループ化して表示する方法が考案されていたが、撮影日時間隔によるグループ区分では、利用者が望むような区分が難しかった。
【０００６】
本発明の目的は、上記したような事情に鑑み成されたものであって、記録媒体に記録された映像コンテンツを利用者が扱い易いグループに区分して表示することのできるデジタル放送受信機を提供することである。
【課題を解決するための手段】
【０００７】
上記目的を達成するために、実施形態によれば、デジタル放送受信機は、映像コンテンツに含まれる撮影日時情報を取得する撮影日時情報取得部と、前記映像コンテンツに含まれる撮影位置情報を取得する撮影位置情報取得部と、該撮影日時情報に基づいて前記映像コンテンツをグループに区分し、前記撮影位置情報に基づいて前記グループを統合するグループ区分部と、前記グループのリストを画面に表示する表示部とを有する。
【図面の簡単な説明】
【０００８】
【図１】第１の実施形態に係るデジタル放送受信機の概観斜視図。
【図２】第１の実施形態に係るデジタル放送受信機の構成を示したブロック図。
【図３】第１の実施形態に係るリモコンの概観図。
【図４】第１の実施形態に係る映像コンテンツの映像情報の例を示した図。
【図５】図４におけるインデックスファイルの具体的な例を示した図。
【図６】図４におけるインデックスファイルの具体的な例を示した図。
【図７】画面にグループリストが表示された例を示した図。
【図８】画面にグループ一覧が表示された例を示した図。
【図９】第１の実施形態に係るグループ区分処理の動作手順を示したフローチャート。
【図１０】第２の実施形態に係るデジタル放送受信機の構成を示したブロック図。
【図１１】第２の実施形態に係るグループ区分処理の動作手順を示したフローチャート。
【発明を実施するための形態】
【０００９】
以下実施形態について図面を参照しながら説明する。
【００１０】
（第１の実施形態）
以下実施形態について図面を参照しながら説明する。図１は、実施形態におけるデジタル放送受信機１の概観斜視図である。デジタル放送受信機１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１１】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー６の窓部５ａの内側の表示部分である。
【００１２】
リモコン８は赤外線あるいはBluetooth（登録商標）等による無線通信を利用して、デジタル放送受信機１の操作受信部へ操作信号を送る操作機器である。
【００１３】
図２は、実施形態に係るデジタル放送受信機１の構成を示したブロック図である。デジタル放送受信機１は、デジタル放送を受信可能であって、画面に放送番組の映像を表示するデジタルテレビ等の受信装置である。
【００１４】
アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部１４に出力される。また、復調器１３は、送受信部３４を介してインターネット等のネットワーク３５から受信したＩＰ放送を復調する。
【００１６】
デコード処理部１４は、ＭＰＥＧデコーダ、映像音声デコーダ等の機能を有する。デコード処理部１４は、復調器１３から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理部１４は、記録装置１５から入力された映像データ及び音声データをデコードする。更に、デコード処理部１４は、外部記録装置３３から入力された映像コンテンツ及び音声コンテンツのデータをデコードする機能を有する。
【００１８】
記録装置１５は、ＨＤＤ（Hard Disk Drive）、ＳＳＤ（Solid State Drive）あるいはＯＤＤ（Optical Disc Drive）等を含む記録手段である。記録装置１５には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部１４でデコードされる。
【００１９】
重畳処理部１６は、デコード処理部１４からの映像データと、バス２１を介して転送されるデータ放送やＧＵＩ（Graphical User Interface）制御部３８によるウィンドウ描画をプレーン管理して、映像データとの重ね合わせを行い、映像処理部１７に送る。
【００２０】
映像処理部１７は、表示装置１８で表示可能なフォーマット（画素数、フレーム周波数、走査方式）に変換したり、表示色を任意に調整したりして、表示装置１８に出力して映像を画面７に表示させる。
【００２１】
音声処理部１９は、デコード処理部１４から伝送されたデジタルの音声データを、スピーカ２０あるいはイヤーホーンで再生可能なアナログ音声信号に変換した後、スピーカ２０あるいはイヤーホーンに出力して音声を再生させる。なお、表示装置１８やスピーカ２０はデジタル放送受信機１の外部にあってもよい。またデジタル放送受信機１と別の筐体に納められていてもよい。
【００２２】
デジタル放送受信機１は、上記した受信動作を含むその全ての動作を制御部２２によって統括的に制御されている。制御部２２はＭＰＵ（Micro Processing Unit）２３が搭載されており、バス２１を介して接続された各構成要素を制御する。
【００２３】
ＲＡＭ（Random Access Memory）２４は、制御部２２のデータ処理に必要な各種データを格納するリードライトメモリであり、映像データ等を格納するバッファメモリとして動作する。ＲＯＭ（Read Only Memory）２５は読出し専用メモリであり、ＭＰＵ２３が実行する制御のプログラムなどを格納している。
【００２４】
フラッシュメモリ２６は、書き換え可能であり、電源を切ってもデータが消えない不揮発性の半導体メモリである。フラッシュメモリ２６は、視聴履歴情報、録画番組情報、録画予約情報等を記憶する機能を有する。またフラッシュメモリ２６は、日時情報記憶部２７、位置情報記憶部２８、グループリスト記憶部２９の機能を有する。
【００２５】
操作受信部３０は、操作機器３１から送信される操作信号を受信し、制御部２２に転送する。操作機器３１は、例えば、赤外線あるいはBluetooth（登録商標）等による無線通信を利用したリモコン（リモートコントローラ、remote controller）８、有線式あるいは無線式キーボード等であり、操作信号を送出する。操作受信部３０は、これらリモコン８、キーボード等から操作信号を受信する。
【００２６】
外部インターフェース３２は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部記憶装置３３が接続される。外部記憶装置端子３２ａは外部記憶装置３３が接続される端子である。
【００２７】
外部インターフェース３２を介して外部記憶装置３３に放送番組を記録することができる。記録装置１５または外部記憶装置３３のどちらに記録するかを利用者が選択できる。また、デジタル放送受信機１は、外部記録装置３３に記録された映像または音声情報を再生することができる。
【００２８】
デジタル放送受信機１は、送受信部３４を介してインターネット等のネットワーク３５に接続されている。これにより、デジタル放送受信機１は、ネットワーク３５上にあるサーバ３６等の機器と送受信部３４を介して情報伝送を行なうことができる。ネットワーク端子３４ａはネットワーク３５が接続される端子である。
【００２９】
図２において、制御部２２は、記録管理部３７、ＧＵＩ制御部３８、撮影日時情報取得部３９、撮影位置情報取得部４０、グループ区分部４１、グループリスト生成部４２の機能を有する。これらの機能は、制御部２２のＭＰＵ２３が実行するアプリケーションであり、通常はＲＯＭ２５に格納されており、使用時にはＭＰＵ２３によって読み出され実行される。
【００３０】
記録管理部３７は、利用者の要求に基づいて設定された放送番組の予約情報を管理する。また、記録管理部３７は、予約された番組の記録処理、また視聴中の番組の記録処理を行う。さらに、記録管理部３７は、記録装置１５に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ２６、または記録装置１５に記録し、録画番組の情報を管理する。記録管理部３７は、録画番組リストの生成、録画番組の再生や削除、編集等の処理を実行する。
【００３１】
ＧＵＩ制御部３８は、ＧＵＩ（Graphical User Interface）データを生成し、この生成されたＧＵＩデータはバス２１を介して重畳処理部１６へ送信される。重畳処理部１６に送付されたＧＵＩデータは、例えば放送番組の映像データに重畳処理されたり、あるいはＧＵＩ単独画面として処理され、映像処理部１７へ伝送される。
【００３２】
撮影日時情報取得部３９は、外部記録装置３３から入力された映像コンテンツの撮影日時情報を取得する機能を有する。撮影日時情報取得部３９は、複数のファイル形式に対応しており、映像コンテンツの中の撮影日、撮影開始時刻、撮影時間または撮影終了時刻を映像コンテンツ毎に取得する。取得された撮影日時情報は一旦ＲＡＭ２４に格納される。
【００３３】
撮影位置情報取得部４０は、外部記録装置３３から入力された映像コンテンツの撮影位置情報を取得する機能を有する。デジタルスチルカメラやデジタルビデオカメラ等の撮影機器には、ＧＰＳ（Global Positioning System）を搭載したものがある。ＧＰＳは上空にある数個のＧＰＳ衛星からの信号をＧＰＳ受信機で受け取り、利用者が存在する場所の位置を知るシステムである。ＧＰＳを搭載した撮影機器の映像コンテンツには位置情報が含まれており、撮影位置情報取得部４０は、映像コンテンツの撮影位置情報を映像コンテンツ毎に取得する。取得された撮影位置情報は一旦ＲＡＭ２４に格納される。
【００３４】
グループ区分部４１は、撮影日時情報取得部３９によって取得された撮影日時情報と、撮影位置情報取得部４０によって取得された撮影位置情報から映像コンテンツを複数のグループに区分する機能を有する。利用者が、自動グループ化機能を利用する設定にしている場合に、外部記録装置３３から入力された映像コンテンツをグループ化する。グループ化された映像コンテンツは一つの映像コンテンツとして連続して再生でき、利用者は細かく撮り分けられた映像コンテンツを一つ一つ選択、再生、停止を繰り返して鑑賞するという手間を省くことができる。グループに区分する手順については後述する。
【００３５】
グループリスト生成部４２は、グループ区分部４１によってグループに分けられた映像コンテンツのリストを生成する機能を有する。生成されたリストはＧＵＩ制御部３８を介して映像処理部１７へ伝送され、画面７に表示される。
【００３６】
図３は、実施形態に係わるリモコン８の概観図である。リモコン８は赤外線あるいはBluetooth（登録商標）等による無線通信を利用して、デジタル放送受信機１の操作受信部３０へ操作信号を送る。電源ボタン５０は、デジタル放送受信機１の電源をオンまたはオフする。詳細にはデジタル放送受信機１を待機状態から動作状態、または動作状態から待機状態にするボタンである。
【００３７】
選局ボタン５１は、放送のチャンネル番号を直接選択する１から１２までの番号が振られたボタンである。チャネル送りボタン５２は、チャネル番号を順送りまたは逆送りで選局するボタンであり、選局ボタン５０と同様にチャネルを選局するときに用いられる。音量調整ボタン５３は、番組を視聴するときのスピーカの音量を調整するボタンである。
【００３８】
カーソルボタン５４は表示装置１８の画面７に表示されたＧＵＩ画面の各種の情報ウィンドウ内のカーソルの移動や各種項目の選択ボタンの移動を行うためのボタンである。カーソルボタン５４は十字ボタン、方向指示ボタンとも呼ばれる。左方向カーソルボタン５４ａはカーソルを左方向に移動させるときに用いるボタンである。右方向カーソルボタン５４ｂ、上方向カーソルボタン５４ｃ、下方向カーソルボタン５４ｄはそれぞれカーソルを右方向、上方向、下方向に移動させるときに用いる。決定ボタン５５は、カーソルボタン５４ａ〜５４ｄで移動した先の位置または画面上のボタンを実行するときに用いられる。
【００３９】
番組表ボタン５６は、番組表を画面７に表示するときに操作する専用の操作ボタンである。メニューボタン５７は、デジタル放送受信機１に用意された各種の設定メニューを表示するときに押下するボタンである。利用者は、階層表示された複数の項目の中から目的の設定項目をカーソルボタン５４を用いて選択する。戻るボタン５８は一つ前の操作段階の画面へ戻るときに使うボタンである。終了ボタン５９は、一連の操作を終了するときに操作するボタンである。
【００４０】
４色の色ボタン６０は、左から青ボタン６０ａ、赤ボタン６０ｂ、緑ボタン６０ｃ、黄ボタン６０ｄの順に配置されている。画面７上に色により区別された項目や色による選択の表示があるときに使用する。記録装置操作ボタン６１は、デジタル放送受信機１の記録装置１５に記録された番組を再生する際に、再生、停止、一時停止、早送り再生、早戻し再生、次番組スキップ、先頭戻り・前番組スキップするためのボタンである。入力切換ボタン６２は、画面７に表示される映像のソースを選択するボタンであり、チューナ１２、記録装置１５、或いは複数の外部記録装置３３の中から選択するときに操作するボタンである。
【００４１】
図４は、第１の実施形態に係る映像コンテンツの映像情報の例を示した図である。外部記録装置３３から入力された映像コンテンツの中には、インデックスが格納されているインデックスファイル４３がある。インデックスファイル４３には、映像番号（コンテンツ番号）Ｃ１〜Ｃｎ、撮影日Ｄ１〜Ｄｎ、撮影開始時刻Ｓ１〜Ｓｎ、撮影時間または撮影終了時刻Ｔ１〜Ｔｎ、緯度位置情報ＬＡ１〜ＬＡｎ、経度位置情報ＬＯ１〜ＬＯｎが格納されている。
【００４２】
図５は、図４におけるインデックスファイル４３の内容の具体的な例を示した図である。映像コンテンツは９個含まれており、映像番号は００１から００９までとなっている。撮影日は、映像番号が００１から００６までは２０１１年２月２６日、映像番号が００７から００９までは２０１１年３月６日である。
【００４３】
グループ区分部４１が、映像コンテンツをグループに区分するとき、ある映像コンテンツの撮影終了時刻と次の映像コンテンツの撮影開始時刻の時間間隔が所定時間以内であった場合には、同じグループとし、所定時間を越えた場合には次のグループにするという判定条件で区分する。
【００４４】
図５において、所定の時間を３時間とした場合には、映像番号００１から００３までが同じグループ（グループ１）、映像番号００４から００６までが同じグループ（グループ２）、映像番号００７から００９までが同じグループ（グループ３）となる。例えば、映像番号００３の撮影終了時刻が１０時３５分３７秒であり、映像番号００４の撮影開始時間が１５時４０分５２秒であるため、時間間隔が５時間５分１５秒となり、３時間を越えるため、映像番号００３と映像番号００４は別のグループとなる。
【００４５】
図６は、図５と同じインデックスファイル４３であるが、グループ区分の条件に撮影位置情報を追加した場合の例である。あるグループの最後に撮影した映像コンテンツの撮影時の撮影位置情報と次のグループの最初に撮影した映像コンテンツの撮影時の撮影位置情報から撮影位置の差異を算出し、この差異が所定の範囲以内であった場合には、二つのグループを同じグループとして統合し、所定の範囲を越えた場合には二つのグループを別のグループのままとするという判定条件を追加する。
【００４６】
例えば緯度については、地上における１ｍの距離は、緯度に換算すると９×１０＾−６（１０のマイナス６乗）度に相当する。また、北緯３５度における経度については、地上における１ｍの距離は経度に換算すると１．１×１０＾−５（１０のマイナス５乗）度に相当する。例えば５００ｍでは、緯度で０．００４５度、経度で０．００５５度に相当する。緯度における所定の範囲を０．００４５度、緯度における所定の範囲を０．００５５度にした場合、映像番号００３と映像番号００４は撮影時の位置情報が同じであるので、グループ１とグループ２を統合しグループ１とする。従来のグループ３は、グループ番号を振り直すことによって１つ繰り上がってグループ２となる。
【００４７】
統合後のグループ１の最後に撮影した映像コンテンツ（映像番号００６）の撮影位置情報とグループ２の最初に撮影した映像コンテンツ（映像番号００７）の撮影位置の位置情報の差異は、緯度、経度とも所定の範囲を超えているため、別グループのままとする。
【００４８】
図７は、画面７にグループリスト４４が表示された例を示した図である。自動グループ化された映像コンテンツのリストを表示するモードでは撮影日時情報と撮影位置情報に基づいて自動的にグループ化された映像コンテンツが1つの映像コンテンツとしてリスト表示され、フォーカスされた（ハッチングで示す）グループの最初に撮影された映像コンテンツがプレビューウィンドウ４５で再生される。またグループ情報ウィンドウ４６内には撮影日時等の情報が表示される。
【００４９】
図８は、画面７にグループ一覧が表示された例を示した図である。あるグループに含まれる複数の映像コンテンツの最初のシーンのサムネイル４７（静止画像または動画像）を同時に表示することによってグループ内の映像コンテンツの概要を把握することができる。図８に示した６個のサムネイル４７の例は、図６におけるグループ１の映像コンテンツ（映像番号００１〜００６）の例を示している。
【００５０】
図９は、第１の実施形態に係るグループ区分処理の動作手順を示したフローチャートである。デジタル放送受信機１にＵＳＢメモリ等の外部記録装置３３が新規に接続された場合やリモコン８の入力切換ボタン６２を押下して外部記録装置３３からの映像入力に切り換えられた場合にグループ区分処理が開始される。
【００５１】
Ｓ１１において、制御部２２は、外部記録装置３３のコンテンツリストを画面７に表示する。制御部２２は、外部記録装置３３からインデックスファイルを読み込み、ＧＵＩ制御部３８にて表示データを生成し、重畳処理部１６、映像処理部１７を介して表示装置１８に送信し、画面７にコンテンツリストを表示する。
【００５２】
Ｓ１２において、制御部２２は、自動グループ化機能が選択されたかを判定する。利用者によって、自動グループ化機能が実行されるか否かを設定することができるが、実行されるように選択されていれば、Ｓ１３へ移る。選択されていないならば、終了する。
【００５３】
Ｓ１３において、撮影日時情報取得部３９は、インデックスファイルから映像コンテンツの撮影日時情報を取得する。Ｓ１４において、グループ区分部４１はインクリメント変数ｎをｎ＝１とする。Ｓ１５において、グループ区分部４１が、撮影日時が最も古いコンテンツを第ｎ（この時点ではｎ＝１）のグループに割り当てる。
【００５４】
Ｓ１６において、グループ区分部４１は、他に映像コンテンツが残っているかを判定する。他の映像コンテンツがある場合には、Ｓ１７へ移り、他の映像コンテンツがない場合には、Ｓ２２へ移る。Ｓ１７において、撮影日時情報取得部３９が、撮影日時が次に古い映像コンテンツの撮影日時情報を取得する。最も古い映像コンテンツはこの時点で第１のグループに割り当てられているから、次に古い映像コンテンツは、割り当てられていない映像コンテンツの中で最も古い映像コンテンツとなる。
【００５５】
Ｓ１８において、グループ区分部４１は、次に古い映像コンテンツの撮影が、一つ前の映像コンテンツ（第１のグループに割り当てられた最も古い映像コンテンツ）の撮影終了時刻から所定時間以内に開始されたかを判定する。所定の時間とは、例えば３時間、あるいは１２時間というように利用者が設定できる。所定時間以内に開始されたならば、Ｓ１９へ移って次に古い古いコンテンツを第ｎ（この時点ではｎ＝１）のグループに割り当て、Ｓ１６へ戻る。
【００５６】
所定時間以内に開始されなかった場合には、Ｓ２０に移って、次に古い映像コンテンツを第（ｎ＋１）（この時点でｎ＝２となるので、第２のグループとなる）のグループに割り当てる。Ｓ２１において、グループ区分部４１はインクリメント変数ｎにｎ＝ｎ＋１を代入（この時点ではｎ＝２）し、Ｓ１６へ戻る。全ての映像コンテンツが何れかのグループに割り振られるまで繰り返す。
【００５７】
Ｓ１６において、他の映像コンテンツがない場合には、Ｓ２２へ移る。Ｓ２２において、撮影位置情報取得部４０は、インデックスファイルから映像コンテンツの撮影位置情報を取得する。Ｓ２３において、グループ区分部４１はインクリメント変数ｎをｎ＝１とする。
【００５８】
Ｓ２４において、グループ区分部４１は、撮影位置情報によってグループ区分の統合を判定するグループが他に残っているかを判定する。他にグループが残っている場合にはＳ２５へ移る。他にグループが残っていない場合には、Ｓ３０へ移る。
【００５９】
Ｓ２５において、グループ区分部４１は、第ｎ（この時点ではｎ＝１）のグループの最後に撮影された映像コンテンツの撮影位置情報と第（ｎ＋１）グループの最初に撮影された映像コンテンツの撮影位置情報との差異を算出する。
【００６０】
Ｓ２６において、グループ区分部４１は、撮影位置情報の差異が所定の範囲内かを判定する。所定の範囲内であれば、Ｓ２７へ移って、グループ区分部４１は、第ｎ（この時点ではｎ＝１）のグループと第（ｎ＋１）のグループを統合する。Ｓ２９へ移って、グループ区分部４１は、グループの番号を振り直す。例えば、第１のグループ（グループ１）と第２のグループ（グループ２）が統合した場合には、グループ２がグループ１に吸収されグループ１となり、グループ３が一つ繰り上がってグループ２となる。全てのグループの番号が振り直される。次にＳ２４に移る。
【００６１】
Ｓ２６において、所定の範囲内でないならば、Ｓ２８へ移って、グループ区分部４１は、グループを統合せず別グループのままとし、インクリメント変数ｎにｎ＝ｎ＋１を代入（この時点でｎ＝２となる）し、Ｓ２４へ戻る。
【００６２】
Ｓ２４において、他のグループがない場合には、Ｓ３０へ移る。Ｓ３０において、グループリスト生成部４２が、グループリストを生成する。生成されたリストはＧＵＩ制御部３８を介して映像処理部１７へ伝送され、画面７に表示され、グループ区分処理が終了する。
【００６３】
以上のように、映像コンテンツのインデックスファイルから撮影日時情報取得部３９によって撮影日時情報を取得して、次に古い映像コンテンツの撮影が一つ前の映像コンテンツの撮影終了時刻から所定時間以内に開始されたかを比較判定し、所定時間以内に開始されたならば、次に古い映像コンテンツを、一つ前の映像コンテンツが割り当てられた第ｎのグループに割り当て、所定時間以内に開始されなかった場合には、次に古い映像コンテンツを第（ｎ＋１）のグループに割り当てる。次に、撮影位置情報取得部４０によって撮影位置情報を取得して、グループについて、第ｎのグループの最後に撮影された映像コンテンツの撮影位置情報と第（ｎ＋１）グループの最初に撮影された映像コンテンツの撮影位置情報の差異を算出し、撮影位置情報の差異が所定の範囲内であれば、第ｎのグループと第（ｎ＋１）のグループを統合し、所定の範囲内でないならば、統合しないことによって、撮影日時情報と撮影位置情報を考慮したグループ区分が可能となる。このようにすることによって、映像コンテンツを利用者が扱い易いグループ区分にして表示することができる。
【００６４】
（第２の実施形態）
図１０は、第２の実施形態に係るデジタル放送受信機７０の構成を示したブロック図である。この第２の実施形態の各部について、図１及び図２に示す第１の実施形態の各部と同一部分は同一符号である。この第２の実施形態が第１の実施形態と異なる点は、撮影位置情報取得部４０を画像ヒストグラム取得部７２に代えた構成していることにある。
【００６５】
画像ヒストグラム取得部７２は、外部記録装置３３から入力された映像データの映像フレームのカラーヒストグラム等の画像ヒストグラムを取得する機能を有する。例えば、カラーヒストグラムは、ＲＧＢ毎に横軸に輝度、縦軸に画素数を積算した画像の明暗の傾向を表した度数分布図であり、画像の類似度をある程度判定することができる。取得された画像ヒストグラムの情報は一旦ＲＡＭ２４に格納される。
【００６６】
第２の実施形態においては、グループについて、第ｎのグループの最後に撮影された映像コンテンツの最後のI（Intra）フレームの画像ヒストグラム情報と第（ｎ＋１）グループの最初に撮影された映像コンテンツの最初のIフレームの画像ヒストグラム情報の差異を算出し、画像ヒストグラム情報の差異が所定の範囲内であれば、第ｎのグループと第（ｎ＋１）のグループを統合し、所定の範囲内でないならば、統合しないことによって、撮影日時情報と画像ヒストグラム情報を考慮したグループ区分が可能となる。
【００６７】
図１１は、第２の実施形態に係るグループ区分処理の動作手順を示したフローチャートである。このフローチャートにおいて、Ｓ１１からＳ２１までは、図９で示したフローチャートと同じであるので説明を省略する。
【００６８】
Ｓ４１において、グループ区分部４１はインクリメント変数ｎをｎ＝１とする。Ｓ４２において、グループ区分部４１は、ヒストグラム情報にてグループ区分を判定するグループが他に残っているかを判定する。他にグループが残っている場合にはＳ４３へ移る。他にグループが残っていない場合には、Ｓ４８へ移る。
【００６９】
Ｓ４３において、グループ区分部４１は、第ｎ（この時点ではｎ＝１）のグループの最後に撮影された映像コンテンツの最後のＩフレームの画像ヒストグラム情報と第（ｎ＋１）グループの最初に撮影された映像コンテンツの最初のＩフレームの画像ヒストグラム情報の差異を算出する。
【００７０】
Ｓ４４において、グループ区分部４１は、画像ヒストグラム情報の差異が所定の範囲内かを判定する。所定の範囲内であれば、Ｓ４５へ移って、グループ区分部４１は、第ｎ（この時点ではｎ＝１）のグループと第（ｎ＋１）のグループを統合する。Ｓ４７へ移って、グループ区分部４１は、グループの番号を振り直す。例えば、第１のグループ（グループ１）と第２のグループ（グループ２）が統合した場合には、グループ２がグループ１に吸収されグループ１となり、グループ３がグループ２となる。全てのグループの番号が振り直される。次にＳ４２に戻る。
【００７１】
Ｓ４４において、所定の範囲内でないならば、Ｓ４６へ移って、グループ区分部４１は、二つのグループを統合せず、インクリメント変数ｎにｎ＝ｎ＋１を代入（この時点でｎ＝２となる）し、Ｓ４２へ戻る。
【００７２】
Ｓ４２において、他のグループがない場合には、Ｓ４８へ移る。Ｓ４８において、グループリスト生成部４２が、グループリストを生成する。生成されたリストはＧＵＩ制御部３８を介して映像処理部１７へ伝送され、画面７に表示され、グループ区分処理が終了する。
【００７３】
以上のように、映像コンテンツのインデックスファイルから撮影日時情報取得部３９によって撮影日時情報を取得して、次に古いコンテンツの撮影が一つ前の映像コンテンツの撮影終了時刻から所定時間以内に開始されたかを比較判定し、所定時間以内に開始されたならば、次に古いコンテンツを、一つ前の映像コンテンツが割り当てられた第ｎのグループに割り当て、所定時間以内に開始されなかった場合には、次に古いコンテンツを第（ｎ＋１）のグループに割り当てる。次に、画像ヒストグラム取得部７２によって画像ヒストグラム情報を取得して、グループについて、第ｎのグループの最後に撮影された映像コンテンツの最後のＩフレームの画像ヒストグラム情報と第（ｎ＋１）グループの最初に撮影された映像コンテンツの最初のＩフレームの画像ヒストグラム情報の差異を算出し、画像ヒストグラム情報の差異が所定の範囲内であれば、第ｎのグループと第（ｎ＋１）のグループを統合し、所定の範囲内でないならば、統合しないことによって、日時情報とヒストグラム情報を考慮したグループ区分が可能となる。このようにすることによって、映像コンテンツを利用者が扱い易いグループ区分にして表示することができる。
【００７４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７５】
１  デジタル放送受信機
７  画面
８  リモコン
１４  デコード処理部
１６  重畳処理部
１７  映像処理部
１８  表示装置
２２  制御部
２３  ＭＰＵ
２４  ＲＡＭ
２５  ＲＯＭ
２６  フラッシュメモリ
３２  外部インターフェース
３３  外部記録装置
３８  ＧＵＩ制御部
３９  撮影日時情報取得部
４０  撮影位置情報取得部
４１  グループ区分部
４２  グループリスト生成部
４３  インデックスファイル
７０  デジタル放送受信機
７１  制御部
７２  画像ヒストグラム取得部
【図１】
2012216972.tif 000003
【図２】
2012216972.tif 000004
【図３】
2012216972.tif 000005
【図４】
2012216972.tif 000006
【図５】
2012216972.tif 000007
【図６】
2012216972.tif 000008
【図７】
2012216972.tif 000009
【図８】
2012216972.tif 000010
【図９】
2012216972.tif 000011
【図１０】
2012216972.tif 000012
【図１１】
2012216972.tif 000013